(57)【特許請求の範囲】
【請求項１】
遊技の動作を制御する電子部品が実装された回路基板を基板ケースに収納するとともに、該基板ケースには、固有の識別情報を無線にて出力するシート状のＩＣタグを、該基板ケースを開いたときにＩＣタグが破壊されるように貼着せしめた遊技機の不正防止構造において、
前記基板ケースは、前記回路基板を覆う蓋部材と、該蓋部材を受ける底部材とからなり、
前記蓋部材および前記底部材を対向方向に組付け、前記蓋部材および底部材の両部材を前記底部材の底面に沿う方向に相対移動させ、前記両部材の移動方向の少なくとも一方の側端に形成した縦壁部を衝合させて前記基板ケースを閉じる構成とし、
前記両部材の移動方向の一方の側端に形成した縦壁部の衝合面間には、両面がそれぞれ前記衝合面に貼着し、両衝合面により挟み付けられるように前記ＩＣタグを設け、
かつ、前記底部材の縦壁部の起立基端には、これと対向する前記蓋部材の縦壁部の端縁との間の隙間を塞ぐ張出部を設けたことを特徴とする遊技機の不正防止構造。
【請求項２】
請求項１に記載の遊技機の不正防止構造において、
前記蓋部材の縦壁部と前記底部材の縦壁部の衝合面の少なくともいずれかにはクッション部材を設け、該クッション部材を介して前記ＩＣタグを貼着せしめた遊技機の不正防止構造。 
【発明の詳細な説明】
【技術分野】
【０００１】
本発明は遊技機の不正防止構造に関する。
【背景技術】
【０００２】
パチンコ機などの遊技機には、遊技動作を制御する制御装置としてマイコンを構成するＭＰＵ、ＲＯＭ、ＲＡＭ等の電子部品が多数実装された回路基板が設けられている。これら回路基板は基板ケースに収納される。一般に、基板ケースは回路基板の表面側を覆う蓋部材と、前記回路基板の裏面側を覆う底部材とを組付けて回路基板を収納する。
【０００３】
ところで遊技機では、前記回路基板のＲＯＭなどの電子部品を交換することにより、賞球を出しやすくするなど正規の遊技性能とは異なる遊技を実行させる不正行為が行われるおそれがある。
そこで従来の遊技機では、不正行為の発見や不正行為の防止を目的に、回路基板が収納された基板ケースに、これを構成する複数の部材に跨って、固有の識別情報を無線にて出力するシート状のＩＣタグを貼着することが行われている(例えば特許文献１参照。)。これによれば、ＲＯＭ等を不正に交換するために基板ケースが開かれるとＩＣタグが破壊され、ＩＣタグが破壊されることで識別情報が出力されなくなるので不正行為を発見できる。
【先行技術文献】
【特許文献】
【０００４】
【特許文献１】特許第４０４２１１６号
【発明の概要】
【発明が解決しようとする課題】
【０００５】
しかしながら、従来の不正防止構造では、基板ケースを開く際に、ゴルフクラブのグリップなどを剥がすのに使用する接着剤または粘着剤用の溶液によりＩＣタグが破壊されずに剥がされるおそれがある。これによれば不正にＲＯＭなどを交換した後に基板ケースを閉じ、ＩＣタグを貼り直すことができるので、不正行為の発見および防止が困難となる。
そこで本発明は、基板ケースが開かれることにより確実にＩＣタグが破壊され、不正行為の発見および防止効果を奏することができる遊技機の不正防止構造を提供することを課題としてなされたものである。
【課題を解決するための手段】
【０００６】
請求項１に記載の発明は、遊技の動作を制御する電子部品が実装された回路基板を基板ケースに収納するとともに、該基板ケースには、固有の識別情報を無線にて出力するシート状のＩＣタグを、該基板ケースを開いたときにＩＣタグが破壊されるように貼着せしめた遊技機の不正防止構造において、
前記基板ケースは、前記回路基板を覆う蓋部材と、該蓋部材を受ける底部材とからなり、
前記蓋部材および前記底部材を対向方向に組付け、前記蓋部材および底部材の両部材を前記底部材の底面に沿う方向に相対移動させ、前記両部材の移動方向の少なくとも一方の側端に形成した縦壁部を衝合させて前記基板ケースを閉じる構成とし、
前記両部材の移動方向の一方の側端に形成した縦壁部の衝合面間には、両面がそれぞれ前記衝合面に貼着し、両衝合面により挟み付けられるように前記ＩＣタグを設け、
かつ、前記底部材の縦壁部の起立基端には、これと対向する前記蓋部材の縦壁部の端縁との間の隙間を塞ぐ張出部を設ける。
【０００７】
請求項１の発明によれば、ＩＣタグを基板ケースの蓋部材および底部材の縦壁部で挟み付けたので、基板ケースを開くことなく手作業によりＩＣタグを直接剥がすことができない。更にＩＣタグの両面を両縦壁部の衝合面に貼着したので、不正行為により基板ケースが開かれると蓋部材および底部材の衝合面が離間するため両面に貼着されたＩＣタグが確実に破壊される。従って接着剤や粘着剤用の溶液などを用いても手作業で剥がせないうえ、基板ケースを開けるとＩＣタグが破損するので、確実な不正行為の発見および不正行為の防止効果が発揮される。
また、張出部により蓋部材の縦壁部の端縁と底部材の縦壁部の起立基端との隙間よりＩＣタグに向けて接着剤や粘着剤用の溶液などが注入されることを防ぐ。
【００１２】
請求項２に記載の発明は、請求項１に記載の遊技機の不正防止構造において、
前記蓋部材の縦壁部と前記底部材の縦壁部の衝合面の少なくともいずれかにはクッション部材を設け、該クッション部材を介して前記ＩＣタグを貼着せしめる。
【００１３】
請求項２の発明によれば、クッション部材によりＩＣタグの両面を蓋部材および底部材の衝合面の両面に確実に貼着することができる。 
【図面の簡単な説明】
【００１６】
【図１】本発明を適用した遊技機の正面図である。
【図２】前記遊技機の背面における電気的装置の配置状態を示す図である。
【図３】前記遊技機に用いる基板ケースの分解斜視図である。
【図４】前記基板ケースを閉じた状態の斜視図である。
【図５】本発明に用いるＩＣタグの平面図である。
【図６】図３のＶＩ−ＶＩ線に沿う断面図である。
【図７】図４のＶＩＩ−ＶＩＩ線に沿う断面図である。
【発明を実施するための最良の形態】
【００１７】
代表的な遊技機であるパチンコ機に本発明適用した実施形態を説明する。
図１に示すように、パチンコ機５０は、縦長の固定外郭保持枠をなす外枠５１に、ヒンジ５３を介して、前枠５２および図略の内枠が開閉可能に設けられている。前枠５２には板ガラス６１が嵌められ、板ガラス６１の奥には前記内枠に保持された遊技盤６０が配置されている。図は省略するが遊技盤６０には、遊技の進行に応じて図柄を変動表示せしめる表示装置、遊技球を入球させる複数の入球口や入賞口が設けられている。
【００１８】
前枠５２の下半部には上下に上皿５５と下皿６３とが設けられている。下皿６３の右側には発射ハンドル６４が設けられ、該発射ハンドル６４を操作することにより上皿５５から供給された遊技球が遊技盤６０に向けて発射される。発射された遊技球が入賞すると、上皿５５に賞球が払い出される。また下皿６３は上皿５５から溢れた賞球を受ける。
本パチンコ機５０はいわゆるＣＲ機であって、プリペイドカードの読み書きを行うプリペイドカードユニット(ＣＲユニット)５６が付設されている。
【００１９】
図２に示すように、パチンコ機５０の背面側には、前記遊技盤および内枠の背面に、遊技の動作を制御する主制御基板７０、前記表示装置を制御する図柄制御基板７１、音声やランプを制御する音声ランプ制御基板７２、賞球の払出や遊技球の発射を制御する賞球発射制御基板７３、電源装置７４などが設置されている。これらの制御基板類は透明又は半透明の合成樹脂ケースに収納され、前記背面に取付けられている。
【００２０】
前記主制御基板７０はマイコンを構成するＭＰＵ、ＲＯＭ、ＲＡＭ等の電子部品が多数実装された回路基板からなり、主制御基板７０はパチンコ機をマイコンによりプログラム制御する。主制御基板７０はＲＯＭの変更によるプログラムが変更されるといった不正行為を防止するため基板が収納されたケースにＩＣタグを貼着して管理することが行われている。以下、図３ないし図７に基づいて、主制御基板７０を収納する基板ケース１、およびＩＣタグを貼着する不正行為の防止構造を説明する。
【００２１】
図３および図４に示すように、主制御基板７０は左右方向の横幅が長い長方形状をなす。
基板ケース１は、主制御基板７０をその表面側より被覆する浅い角形容器状の蓋部材１ａと、主制御基板７０の裏面側より蓋部材１ａを受けて蓋部材１ａの開口を塞ぐ底部材１ｂとからなる。
【００２２】
先に底部材１ｂの構成を説明する。底部材１ｂは合成樹脂の一体成形品からなり、長方形の略平板状の底面をなす底壁部１０を有する。底部材１ｂには、底壁部１０の長辺からなる上端縁および下端縁にそれぞれ、底壁部１０の表面側に突出し、かつ一方の横方向(図３の左方向)に向けてほぼ直角に屈曲する略Ｌ字状の係止爪１０１が所定の間隔をおいて複数設けられている。
【００２３】
底部材１ｂには、前記係止爪１０１の屈曲方向の一方の側端１１(図３の左側、以下、左側端という)に、細幅の側端面が形成され、該左側端１１には側端面の上端寄りおよび下端寄りの位置にそれぞれ、前記屈曲方向に沿う横方向へ突出する舌片状の突出片１０２が上下一対設けられている。
また左側端１１には前記両突出片１０２の間に、底壁部１０からほぼ直角に屈曲して底部材１ｂの表面側へ起立する起立壁１２(請求項１の縦壁部に相当する)が設けられている。起立壁１２は、その外面１２０に後述するＩＣタグ２を貼着可能な外形、寸法に形成されている。なお、図例では起立壁１２は底壁部１０からほぼ直角に屈曲形成されているが、起立壁１２の外面１２０が後述する左側壁部１７の内面１７０と平行となれば良く、ほぼ直角に限定されるものではない。同様に、起立壁１２の外面１２０は後述する左側壁部１７の内面１７０と対をなす形状であれば良く、平面に限定されるものではない。
更に前記左側端１１には前記起立壁１２の基端に、前記突出片１０２の突出方向と同じ横方向に張り出す板状の張出部１３が設けられている。張出部１３の上下長は、前記起立壁１２の基端の上下長と同じ又はそれ以上に設定されている。
【００２４】
一方、底部材１ｂの他方の側端(右側縁)には、上端位置および下端位置にそれぞれ、底部材１ｂと蓋部材１ａとを連結固定する際に用いるカシメ用のボス１０３が上下一対形成されている。
【００２５】
蓋部材１ａも底部材１ｂと同様に合成樹脂の一体成形品からなる。蓋部材１ａは主制御基板７０の表面を覆う長方形状の表壁部１５と、外周に表壁部１５の上縁、下縁および左右の側縁からからほぼ直角に屈曲する縦壁状の周壁１６を備える。
蓋部材１ａには、表壁部１５の４隅付近に設けられたねじ穴からなる複数の締結部１５１に主制御基板７０の４隅がねじ締め固定されて蓋部材１ａ側に主制御基板７０が取付けられる。
尚、主制御基板７０には表面上端に複数のコネクタ類７０１が設けられ、これらに対応して表壁部１５の上端部には複数のコネクタ挿通穴１５５が設けられている。図３の１５６は主制御基板７０のコネクタ類７０１類のうちの小型コネクタに応じてこれらを挿通せしめるように設定された補助板で、補助板１５６により表壁部１５に形成された大型のコネクタ挿通穴と前記小型コネクタとの隙間を覆い隠す。
【００２６】
蓋部材１ａの前記周壁１６の上壁部および下壁部には、これらの内面側に、前記底部材１ｂの各係止爪１０１に対応してこれらを係合可能な係合部１５２が複数設けられている。係合部１５２は前記係止爪１０１のＬ字状の屈曲先端を横方向に嵌合可能とするものである。
【００２７】
蓋部材１ａの周壁１６をなす左右の側壁部のうち、前記底部材１ｂの左側端１１に対応する左側壁部１７(請求項１の縦壁部に相当する)には、前記底部材１ｂの左側端１１の各突出片１０２に対応してこれらを嵌入可能の角形筒状の嵌合穴１７１が上下一対設けられている。
また蓋部材１ａの右側の側壁部には前記底部材１ｂの右側端のカシメ用のボス１０３に対応するボス１５４が上下一対形成されている。
【００２８】
基板ケース１をなす蓋部材１ａと底部材１ｂとを組付けるには、先ず、蓋部材１ａを左側に、底部材１ｂを右側にずらした状態で表裏方向に対向せしめ、蓋部材１ａの周壁１６の上下の壁部と底部材１ｂの上下の端縁とを前記対向方向（図３の矢印Ｔ方向）に衝合させる。このとき、底部材１ｂの上下の端縁の各係止爪１０１が蓋部材１ａの上下の壁部の各係合部１５２間に位置するようになし、かつ底部材１ｂの前記各突出片１０２が蓋部材１ａの各嵌合穴１７１と対向するように蓋部材１と底部材１ｂとを組み合わせる。
【００２９】
次に、蓋部材１ａと底部材１ｂとを、底部材１ｂの底壁部１０の壁面に沿う左右横方向(図３の矢印Ｓ方向)に互い相対移動せしめ、底部材１ｂの各係止爪１０１を蓋部材１ａの各係合部１５２に嵌合係止せしめ、底部材１ｂの各突出片１０２を蓋部材１ａの各嵌合穴１７１に嵌入せしめ、蓋部材１ａの左側壁部１７の内面１７０に底部材１ｂの左側端１１の起立壁１２の外面１２０を衝合せしめるとともに、蓋部材１ａの各カシメ用のボス１５４と底部材１ｂの各ボス１０３とを重ね合わせる。
そして、両ボス１５４，１０３に圧入したカシメ部材１８０により両ボス１５４，１０３をカシメ固定することにより、蓋部材１ａと底部材１ｂとが組付け固定される。
【００３０】
図３ないし図７に示すように、蓋部材１ａと底部材１ｂとを組付ける際、衝合する蓋部材１ａの左側壁部１７の内面１７０と底部材１ｂの起立壁１２の外面１２０とでシート状のＩＣタグ２を挟み付けるとともに、ＩＣタグ２の両面を左側壁部１７の内面１７０および起立壁１２の外面１２０に貼着する。
【００３１】
ＩＣタグ２は従来公知のもので概略を説明する。図５に示すように、紙製又はポリエステルなど薄い合成樹脂製の角形のシート部材２０に、ＩＣチップ部２１とアンテナ部２２とが搭載されており、別装置であるスキャナーをかざすことにより、無線でＩＣチップ部２１に記憶された識別番号（ユニークＩＤ）、主制御基板管理番号（基板ケース１の蓋部材１ａの表面に貼り付けられたシールに記載された番号）、製造メーカー名、機種名などの情報を読み取ることが可能なものである。
シート部材２０は通常の取扱いではない異常な引張り力が作用することにより破断する脆弱性を有する。ＩＣチップ部２１はシート部材２０の中央に設けられている。そしてＩＣチップ部２１に電気的に接続されたアンテナ部２２，２２が、ＩＣチップ部２１とシート部材２０の２つの隅角を結ぶ対角線上に設けられている。
尚、ＩＣタグ２は前記シート部材２０の破断により，ＩＣチップ部２１とアンテナ部２２が破断され、スキャナーによる読み取りが不可能な状態に破壊される。シート部材２０が合成樹脂製のものはＩＣチップ部２１とアンテナ部２２とが破断しやすいようにシート部材２０にミシン線が設けられている。
【００３２】
ＩＣタグ２にはその表面にセキュリティー印刷及び型番（レーザーマーキング）がなされており、基板ケース１の表面側から印刷が見えるように貼着しなければならない。従って、本実施形態では、基板ケース１の蓋部材１ａと底部材１ｂとを組付ける前に、図６に示す矢印ｘ方向に、予めＩＣタグ２の裏面を底部材１ｂの起立壁１２の外面１２０に接着剤(又は粘着材)により貼着しておく。そして、蓋部材１ａと底部材１ｂとを組付け、蓋部材１ａの左側壁部１７と起立壁１２とを衝合させる（蓋部材１ａの左側壁部１７が相対的に矢印ｙ方向）ことでＩＣタグ１ａの表面を左側壁部１７の内面１７０側に貼着せしめる。
【００３３】
ところで、図６、図７に示すように、ＩＣタグ２の表面にはＩＣチップ部２１により若干の凹凸があるためこれらの凹凸を吸収して貼着できるように、また蓋部材１ａと底部材１ｂとを組付けたときの組付精度のバラツキにより左側壁部１７の内面１７０と起立壁１２の外面１２０との衝合にバラツキが生じてもこれらを吸収して貼着できるように、予め左側壁部１７の内面１７０にはＩＣタグ２の表面と対応する位置に、厚み(１〜２ｍｍ程度）を有するシート状（板状）の透明な合成樹脂製のクッション部材３を貼着しておき、該クッション部材３にＩＣタグ２の表面を接着剤(又は粘着材)により貼着せしめる。尚、クッション部材３はＩＣタグ２よりも接着強度の強い接着剤(又は粘着材)により左側壁部１７の内面に接着されている。
図例では、クッション部材３を左側壁部１７側に設けたが、これに限らず起立壁１２の外面１２０に設けてもよい。クッション部材３を起立壁１２の外面１２０に貼着する場合には、透明な合成樹脂製としなくてもよい。同様に、クッション部材３はＩＣタグ２とは別部材として説明したが、両面を挟み付け貼着用のＩＣタグとし、ＩＣタグ２の表面にクッション部材３と同等な役割を持たせたクッション部を設けたものとしてもよく、別部材に限定されるものではない。また、ＩＣタグ２の表面に対応する位置にクッション部材３を設けるものとして説明したが、ＩＣタグ２の裏面に対応する位置に設けても、ＩＣタグ２の表面に対応する位置及び裏面に対応する位置に個々に設けてもよく、左側壁部１７の内面１７０と起立壁１２の外面１２０とでは挟み付けた際に隙間が生じなければ差し支えない。
【００３４】
また図７に示すように、蓋部材１ａと底部材１ｂとを組付け、蓋部材１ａの左側壁部１７と底部材１ｂの起立壁１２とを衝合してＩＣタグ２が貼着された状態では、起立壁１２の基端に設けられ、該基端から横方向に張り出す張出部１３が、ＩＣタグ２を挟み込んだ左側壁部１７の先端と起立壁１２との隙間を覆う。
【００３５】
本実施形態によれば、基板ケース１の蓋部材１ａと底部材１ｂとを組付けたときに衝合する左側壁部１７と起立壁１２との間でＩＣタグ２を挟み付けたので、不正にＩＣタグを剥がそうとしても、基板ケース１を開かなければ手作業でＩＣタグ２を直接剥がすことができない。
更にＩＣタグ２の表裏両面を左側壁部１７と起立壁１２との２つの衝合面１７０，１２０に貼着せしめたので、不正に基板ケース１を開こうとし、蓋部材１ａと底部材１ｂとのカシメ結合部を壊しても、開くためには蓋部材１ａの係合部１５２と底部材１ｂの係止爪１０１との係合を解除するために両部材１ａ，１ｂを左右方向(横方向)に相対移動させなければならず、これにより衝合した蓋部材１ａの側壁部１０と底部材１ｂの起立壁１２とが離間し、これらの離間によりＩＣタグ２に異常な引張り力が作用してＩＣタグ２が破れて破壊される。
更に、ＩＣタグ２が貼着された左側壁部１７の先端と起立壁１２との隙間は、起立壁１２の基端に設けた張出部１３により覆い隠すようにしたので、接着剤や粘着材用の溶液を使用してＩＣタグ２を剥がそうとすることを防止できる。
以上のような作用効果が相まって、遊技機への不正行為の発見および不正行為の予防効果が従来よりも良好に発揮される。
【００３６】
本発明の他の実施形態として、ＩＣタグ２を蓋部材１ａの側壁部１７および底部材１ｂの起立壁１２へ貼着するときの接着強度を、ＩＣタグ２の部分ごとに強度を変えることが望ましい。例えば図５の下部に示すように、ＩＣタグ２のシート部材２０を長手方向に、アンテナ部２２に相当する部位２２０と、ＩＣチップ部２１に相当する部材２１０に区画する。そして接着強度の異なる２種類の接着剤(又は粘着剤)を用い、ＩＣタグ２の裏面側では左右のアンテナ部２２に相当する部位２２０をそれぞれ接着強度の強い接着剤(又は粘着剤)で、ＩＣチップ部２１に相当する部位２２０を強度の弱い接着剤(又は粘着剤)で起立壁１２に貼着せしめる一方、ＩＣタグ２の表面側では逆に、ＩＣチップ部２１に相当する部位２１０を接着強度の強い接着剤(又は粘着剤)で、アンテナ部２２に相当する部位２２０を弱い接着剤(又は粘着剤)で側壁部１７に貼着せしめる。
【００３７】
これによれば、不正行為により側壁部１７と起立壁１２とが離間されると、側壁部１７への接着強度が強いＩＣチップ部２１に相当する部位２１０は側壁側１７に残り、起立壁１２への接着強度が強いアンテナ部２２に相当する部位２２０は起立壁側１２に残るので、ＩＣチップ部２１とアンテナ部２２とを確実に破断させることができる。
【００３８】
尚、ＩＣチップ部２１側とアンテナ部２２側の接着強度の関係は前記構成の逆の状態でもよい。
更に段落００３６に記載の構成において、ＩＣタグ２の表面はＩＣチップ部２１が凸状となっているため、アンテナ部２２側に比べてＩＣチップ部２１側の側壁部１７(クッション部材３)への圧接力が高くなるためＩＣ部チップ２１側の接着強度が強くなり、ＩＣタグ２の表面はＩＣチップ部２１側とアンテナ部２２側と接着強度の差が生じる。よってＩＣチップ部２１側とアンテナ部２２側とで接着剤(又は粘着剤)を変えなくてもＩＣチップ部２１とアンテナ部２２とを確実に破断させる作用効果が得られる。
【００３９】
尚、本発明は前記実施形態に限定されるものではなく、本発明の要旨を逸脱しない範囲でさまざまに実施できることは勿論である。例えば前記実施形態では、蓋部材１ａの左側壁部１７と底部材１ｂの左側端１１に設けた起立壁１２とでＩＣタグ２を貼着せしめる構成としたが、蓋部材１ａの右側壁部と底部材１ｂの右側端に設けた起立壁とでＩＣタグ２を貼着せしめる構成でもよい。
また前記実施形態では、張出部１３によりＩＣタグ２を挟み込んだ側壁部１７と起立壁１２との間の隙間を覆い隠すようにしたが、前記したように本発明の構成では手作業によりＩＣタグ２を剥がすことができないので、溶液を用いてもＩＣタグ２を破壊せずに剥がすことは不可能であるから、必ずしも張出部１３は必要なものではない。
またＩＣタグ２の表面の貼着に用いるクッション部材３は、ＩＣタグ２の表面が平らで、前面を側壁部１７に当接可能であれは必ずしも必要なものではない。しかしながら、クッション部材３が無いと基板ケース１を組付けて側壁部１７と起立壁１２との衝合させたときの精度が要求されることになり、またクッション部材３はＩＣタグ２を保護する効果が期待できるためクッション部材３を設けることが望ましい。
【符号の説明】
【００４０】
１  基板ケース
１ａ  蓋部材
１ｂ  底部材
１０  底部材の底壁部(底面)
１１  底部材の左側端（底部材の一方の側端）
１２  起立壁（縦壁部）
１２０  起立壁の外面(衝合面)
１３  張出部
１６  蓋部材の周壁
１７  蓋部材の左側壁部(蓋部材の一方の側端、縦壁部)
１７０  左側壁部の内面(衝合面)
２  ＩＣタグ
２０  シート部材
２１  ＩＣチップ部
２２  アンテナ部
３  クッション部材
７０  主制御基板(回路基板)
【図１】
0005514985.tif 000002
【図２】
0005514985.tif 000003
【図３】
0005514985.tif 000004
【図４】
0005514985.tif 000005
【図５】
0005514985.tif 000006
【図６】
0005514985.tif 000007
【図７】
0005514985.tif 000008